(57)【要約】      （修正有）【課題】リード線を別途設ける代わりに、掃除機内部の給電回路を利用して静電気を伝導することにより、コストの低減とともに、静電気を解消できる静電気防止掃除機を提供する。【解決手段】本体１００を含み、本体に吸塵部と、モータ５００と、集塵ケースとのパーツが設けられ、吸塵部はモータに設けられる集塵ケースと連通し、モータにハンドル１１０が設けられる。モータ内にバッテリパック１２０が設けられ、バッテリパックは給電回路４００を介して静電気防止掃除機に給電する。本体におけるパーツは少なくとも１つの静電気発生部を形成し、静電気発生部は、給電回路を介してハンドルと電気的に接続され、静電気発生部とハンドルとは負荷を設けずに接続される。【選択図】図１
0003222247.tif 000002
【実用新案登録請求の範囲】
【請求項１】
本体（１００）を含み、前記本体に吸塵部と、モータ（５００）と、集塵ケースとのパーツが設けられ、前記吸塵部はモータに設けられた集塵ケースと連通し、前記モータにハンドル（１１０）が設けられ、前記モータ内にバッテリパック（１２０）が設けられ、前記バッテリパックは給電回路（４００）を介して給電し、前記本体におけるパーツは少なくとも１つの静電気発生部を形成している静電気防止掃除機において、
前記静電気発生部は、前記給電回路を介して前記ハンドルと電気的に接続され、且つ前記静電気発生部及び前記ハンドルの前記給電回路における接点の間には負荷を設けないことを特徴とする静電気防止掃除機。
【請求項２】
前記ハンドル（１１０）は、少なくとも一部導電性材料からなることを特徴とする請求項１に記載の静電気防止掃除機。
【請求項３】
前記導電性材料は、導電性不純物を加えた熱可塑性ポリウレタンエラストマーであることを特徴とする請求項２に記載の静電気防止掃除機。
【請求項４】
前記ハンドル（１１０）に金属リングが設けられ、前記金属リングが前記給電回路（４００）を介して少なくとも１つの静電気発生部と電気的に接続されることを特徴とする請求項１に記載の静電気防止掃除機。
【請求項５】
前記吸塵部は、金属延長管（３００）と、床ブラシ（２００）とを含み、前記金属延長管の一端がホースを介して床ブラシと接続されることを特徴とする請求項１に記載の静電気防止掃除機。
【請求項６】
前記給電回路（４００）と少なくとも１つの静電気発生部は第１のワイヤ（４１０）を介して電気的に接続され、前記給電回路とハンドル（１１０）は第２のワイヤ（４２０）を介して電気的に接続されることを特徴とする請求項１ないし請求項５のいずれか一項に記載の静電気防止掃除機。
【請求項７】
前記第１のワイヤ（４１０）の両端が環状に折り曲げられて給電回路（４００）に嵌設され、第１のワイヤの中間部が折り曲げられて突起部を形成し、前記突起部は少なくとも１つの静電気発生部と接触し、前記第２のワイヤ（４２０）の一端が給電回路と接続され、他端が接続端で、ねじでハンドル（１１０）内に固定されることを特徴とする請求項６に記載の静電気防止掃除機。
【請求項８】
前記給電回路（４００）が弾性金属片に接続され、前記少なくとも１つの静電気発生部が金属ブロックに接続され、前記弾性金属片は前記金属ブロックと接触することを特徴とする請求項１ないし請求項５のいずれか一項に記載の静電気防止掃除機。
【考案の詳細な説明】
【技術分野】
【０００１】
本考案は、静電気防止掃除機に関し、家庭電化製品の製造技術分野に属する。
【背景技術】
【０００２】
従来、掃除機を使用する間に静電気が発生する問題があり、静電気は掃除機内部の電気回路に悪影響を与えるだけでなく、静電気が蓄積すると、使用者が手で触れたら痺れて痛みを感じることもある。市場には現在、静電気対策として主に次の２つの方法がある。一つは、静電気の発生量を減少させる方法である。具体的には、掃除機の金属管の内壁に非金属内管を増設することでホコリと金属管の内壁との摩擦により生じた静電気を減少させる、あるいは金属管を抗静電気材料と置き換える。しかしながら、この２つのやり方はいずれも掃除機が大量のホコリを吸い込む場合に満足できる効果を得られず、静電気現象の緩和につながらない。もう一つは、掃除機の金属管とハンドルの間に別途リード線を設けることで、発生した静電気を、リード線を介してハンドル上の金属リングに伝導し、そして金属リングと人体との接触により静電気を地球へ誘導する方法である。これに関しては、中国実用新案第２０３０００８１１号が挙げられる。それは、少なくとも一部露出しており、且つ金属延長管ともワイヤホースとも電気的に接続された鋼片を含む掃除機用静電気防止風路を開示した。これによって理論的には静電気の解消を実現できるが、金属リングと人体との接触面積が小さいので、使用者が実際に使うときに、金属リングと人体との接触効果が満足できず、静電気現象が解消されていないままである。
【考案の概要】
【考案が解決しようとする課題】
【０００３】
本考案は、上記の従来技術の欠点を解消するために、静電気防止掃除機を提供することを目的としてなされるものである。それは、リード線を別途設ける代わりに、掃除機内部の給電回路を利用して静電気を伝導する構成とすることにより、コストの低減とともに、静電気の解消という目的を達成している。
【課題を解決するための手段】
【０００４】
本考案は、上記の目的を達成するために採用する技術的解決手段は以下のとおりである。
【０００５】
本考案は、静電気防止掃除機を提供する。本体を含み、前記本体に吸塵部と、モータと、集塵ケースとのパーツが設けられ、前記吸塵部はモータに設けられる集塵ケースと連通し、前記モータにハンドルが設けられる。前記モータ内にバッテリパックが設けられ、前記バッテリパックは給電回路を介して静電気防止掃除機に給電する。前記本体におけるパーツは少なくとも１つの静電気発生部を形成し、前記静電気発生部は、前記給電回路を介して前記ハンドルと電気的に接続され、且つ前記静電気発生部及び前記ハンドルの前記給電回路における接点の間には負荷を設けない。
【０００６】
ハンドルを導電可能とするために、前記ハンドルは、少なくとも一部導電性材料からなる。好ましくは、前記導電性材料は、金属屑など導電性不純物を加えた熱可塑性ポリウレタンエラストマーである。
【０００７】
あるいは、前記ハンドルに金属リングが設けられ、前記金属リングが前記給電回路を介して少なくとも１つの静電気発生部と電気的に接続される。
【０００８】
好ましくは、前記吸塵部は、金属延長管と、床ブラシとを含み、前記金属延長管の一端がホースを介して床ブラシと接続される。
【０００９】
コストの追加を避けるために、前記給電回路と少なくとも１つの静電気発生部は第１のワイヤを介して電気的に接続され、前記給電回路とハンドルは第２のワイヤを介して電気的に接続される。
【００１０】
取付けやすくするために、前記第１のワイヤの両端を環状に折り曲げて給電回路に嵌設し、第１のワイヤの中間部を折り曲げて突起部を形成し、前記突起部は少なくとも１つの静電気発生部と接触する。前記第２のワイヤの一端が給電回路と接続され、他端が接続端で、ねじでハンドル内に固定される。
【００１１】
あるいは、前記給電回路が弾性金属片に接続され、前記少なくとも１つの静電気発生部が金属ブロックに接続され、前記弾性金属片は前記金属ブロックと接触する。
【考案の効果】
【００１２】
上記から明らかなように、本考案はリード線を別途設ける代わりに、掃除機内部の給電回路を利用して静電気を伝導する構成とすることにより、コストの低減とともに、静電気の解消という目的を達成している。また、導電性材料からなるハンドルと人体の接触面積が大きいので、従来技術における金属リングよりも効果的に静電気を伝導できるようになる。
【図面の簡単な説明】
【００１３】
次に、図面と具体的な実施例を踏まえて、本考案の技術的解決手段について詳しく説明する。
【図１】本考案の静電気防止掃除機の構造を示す図である。
【図２】静電気発生部及びハンドルの給電回路における接点を示す図その１である。
【図３】静電気発生部及びハンドルの給電回路における接点を示す図その２である。
【図４】図１の箇所Ａの拡大図である。
【図５】図１の箇所Ｂの拡大図である。
【考案を実施するための形態】
【００１４】
図１は、本考案の静電気防止掃除機の構造を示している。同図によると、本考案の静電気防止掃除機は本体１００と、ハンドル１１０とを含み、静電気防止掃除機の動作時は、使用者がハンドル１１０を握りながら操作し、吸塵動作を行わせる。本体１００には吸塵部と、モータ５００と、集塵ケースとのパーツが設けられ、ハンドル１１０がモータ５００に設けられ、前記吸塵部はモータ５００に設けられる集塵ケースと連通する。本考案の静電気防止掃除機はポータブル式の手持ち掃除機など、バッテリで駆動する掃除機で、すなわちモータ５００にはバッテリパック１２０が設けられ、バッテリパック１２０は給電回路４００を介して静電気防止掃除機に給電する。静電気防止掃除機の動作電圧は安全電圧に設定される。例えば、本実施例では２２．２Ｖの電圧を動作電圧としてもよい。すなわち静電気防止掃除機は、６本の３．７Ｖバッテリによって給電される。モータ５００にはさらに真空モータが設けられ、前記吸塵部に回転ブラシの回転を駆動する回転ブラシモータが設けられる。本考案の静電気防止掃除機は動作時に、バッテリパック１２０が給電回路４００を介して真空モータ及び回転ブラシモータなどの電気装置に給電し、ホコリなどを含む気流が吸塵部から吸い込まれたら、集塵ケースに入って気体と固体を分離する。前記吸塵部は従来技術によるもので、例えば、吸塵部は床ブラシ２００と、金属延長管３００とを含んでもよい。金属延長管３００の一端がホースを介して床ブラシ２００と接続されるか、あるいは吸塵部をホースとしてもよいが、本考案は、吸塵部の構造について具体的に限定しない。
【００１５】
静電気防止掃除機は、動作中にホコリの吸い込みなどにより複数の場所において静電気を生じて蓄積される可能性がある。本考案では、本体１００における静電気を生じやすいパーツを静電気発生部として定義し、吸塵部、モータ５００及び集塵ケースなどを含んでもよい。静電気の当該掃除機に対する影響を軽減するために、本考案においては、前記静電気発生部が給電回路４００を介してハンドル１１０と電気的に接続される構成とする。給電回路の人体に対する影響及び静電気の当該掃除機内の電子素子に対する影響を解消するために、前記静電気発生部及びハンドル１１０の給電回路４００における接点の間に負荷を設けない。つまり、前記静電気発生部及びハンドル１１０の給電回路４００における接点は、同一のリード線に配置されている。例を挙げると、図２は静電気発生部及びハンドルの給電回路における接点を示す図その１で、同図に示すように、前記静電気発生部及び前記ハンドル１１０の接点はいずれもバッテリパックの一端から引き出された同一のリード線に配置されている。図３は、静電気発生部及びハンドルの給電回路における接点を示す図その２で、同図に示すように、前記静電気発生部及びハンドル１１０の接点はいずれも２つの負荷の間における同一のリード線に配置されている。なお、上述した電気的接続は、様々な形態を有する。例えば、給電回路４００に前記静電気発生部もしくはハンドル１１０に接続されるリード線を溶接する、あるいは直接リード線の一端を給電回路４００に巻き付け、他端を静電気発生部もしくはハンドル１１０に巻きつけてもよい。進歩性の発想がない限り、従来技術における電気的接続方法は、いずれも本考案に適用できる。
【００１６】
続いて吸塵部における金属延長管３００とハンドル１１０が給電回路４００を介して電気的に接続されることを例に説明する。無論、その他の静電気発生部も同様にハンドル１１０と電気的に接続されてもよい。本考案では、ハンドル１１０と電気的に接続される静電気発生部のタイプについて特に限定せず、当業者は、静電気発生部のうち少なくとも一つがハンドル１１０と電気的に接続されているという前提において、実際のニーズに応じて設計すればよい。
【００１７】
配線を行いやすくするために、静電気防止掃除機に給電回路４００を固定する凹溝３１０、あるいは係止具などの固定パーツを設ける。給電回路４００は、凹溝３１０や係止具などで静電気防止掃除機内に固定される。係止具を用いる場合、まず係止具を給電回路４００の配線経路に取り付け、そして配線時に給電回路４００を対応する係止具内に係入させる。図４は、図１の箇所Ａの拡大図で、図５は、同箇所Ｂの拡大図である。図１、図４及び図５に示すように、本実施例では、金属延長管３００内に凹溝３１０が設けられており、モータ５００のバッテリパック１２０と電気的に接続された給電回路４００が、凹溝３１０を介して床ブラシ２００上の回転ブラシモータと電気的に接続されている。
【００１８】
本実施例では、給電回路４００及び金属延長管３００は、いずれも単独のパーツとして製造されているため、コストの追加を避けるために、金属延長管３００と給電回路４００は第１のワイヤ４１０を介して電気的に接続され、給電回路４００とハンドル１１０は第２のワイヤ４２０を介して電気的に接続されており、上述したワイヤは、圧着や溶接などにより上記パーツを接続させてもよい。
【００１９】
具体的には、第１のワイヤ４１０の両端を環状に折り曲げ、給電回路４００に嵌設し、第１のワイヤ４１０の中間部を折り曲げて突起部を形成し、前記突起部が金属延長管３００と接触する。第２のワイヤ４２０の一端が給電回路４００と接続し、他端が接続端（例えば、ワイヤエンドなど）で、ねじでハンドル１１０内に固定される。上記ワイヤの構造及その接続形態は、柔軟性が高く取り付けやすい。
【００２０】
ハンドル１１０と第２のワイヤ４２０の電気的接続にも様々な形態がある。例えば、ハンドル１１０は少なくとも一部導電性材料からなり、前記導電性材料は、金属材料でもよければ、非金属材料でもよい。好ましくは、前記導電性材料は、金属屑などの導電性不純物を加えた熱可塑性ポリウレタンエラストマー（導電性ＴＰＵ）で、その抵抗率は１０４〜１０９Ωである。本実施例では、型番ＴＰＵ（Ｋ７５Ａ）の導電性ＴＰＵを導電性材料とする。導電性ＴＰＵは、従来技術における導電金属片に比べて、握り心地、製品の見た目と安全性に影響を与えることなく導電性材料と人体の接触面積を増加し、静電気の伝導効率を確保することができる。あるいは、ハンドル１１０に金属リングを設け、前記金属リングが第２のワイヤ４２０と電気的に接続される。
【００２１】
続いて集塵ケースとハンドル１１０は給電回路４００を介して電気的に接続されることを例に説明する。集塵ケースは、導電性材料からなってもよく、その外壁に集塵ケースと接続される金属ブロックが設けられる。集塵ケースがモータ５００に取り付けられると、金属ブロックは、給電回路４００と接続される弾性金属片と接触することで、集塵ケースを給電回路４００と接続させる。給電回路４００がハンドル１１０と電気的に接続されているため、上記構造は、集塵ケースにおける静電気解消の機能を実現できる。
【００２２】
本実施例では、静電気防止掃除機の動作時に静電気発生部に静電気が生じる。静電気発生部とハンドル１１０は電気的に接続されているため、前記静電気が給電回路４００に沿ってハンドル１１０に伝導されて、そして人体を経由して地球に誘導される。
【００２３】
上記から明らかなように、本考案の静電気防止掃除機では、静電気の解消という目的を達成するために、リード線を別途設ける代わりに、掃除機内部の給電回路を利用して静電気を伝導する構成とすることにより、コストを低減している。また、導電性材料からなるハンドルと人体の接触面積が大きいので、従来技術における金属リングよりも効果的に静電気を伝導できるようになる。
【図１】
0003222247.tif 000003
【図２】
0003222247.tif 000004
【図３】
0003222247.tif 000005
【図４】
0003222247.tif 000006
【図５】
0003222247.tif 000007